(57)【要約】【課題】  画像読み取り時における原稿載置面からの原稿の浮き上がりの抑制を図った画像読取装置および画像形成装置を提供すること。【解決手段】  画像形成装置１００の原稿カバー２２０は，天板２２１と，リブ２４０，２５０，２６０と，原稿マット２３０と，複数の原稿マット押圧部材３００とを有している。原稿マット押圧部材３００は，基部３０１と，レバー部３１０と，リブ押圧部３２０とを有している。原稿マット押圧部材３００の基部３０１は，原稿マット２３０に貼り付けられている。レバー部３１０は，リブ２５０の貫通孔２５１に挿通されている。そして，レバー部３１０の幅広部３１１の幅は，貫通孔２５１の幅より広い。原稿カバー２２０が閉じている閉カバー時には，リブ２４０は，リブ押圧部３２０を押圧する。原稿マット押圧部材３００は，この押圧により変形する。【選択図】図８
2012194476.tif 000002
【特許請求の範囲】
【請求項１】
原稿載置面に載置された原稿から画像を読み取る画像読取部と，
原稿を前記原稿載置面に押圧する原稿カバーとを有する画像読取装置であって，
前記原稿カバーは，
天板と，
閉カバー時に原稿を前記原稿載置面に押圧する原稿マットと，
可撓性フィルム部材からなるとともに閉カバー時に前記原稿マットを原稿に押圧する複数の原稿マット押圧部材とを有し，
前記天板の前記原稿載置面の側には，
前記原稿マット押圧部材を押圧する押圧用リブと，貫通孔が設けられているとともに前記原稿マット押圧部材を支持する支持用リブとが設けられており，
前記原稿マット押圧部材は，
前記原稿マットに固定されている基部と，
前記押圧用リブに押圧されるリブ押圧部と，
前記貫通孔に挿通されているとともにその先端が前記貫通孔の幅より幅広の幅広部となっている挿通部とを有し，
前記リブ押圧部および前記挿通部はいずれも，
前記基部から前記天板側の向きに折り曲げられた状態で設けられているものであることを特徴とする画像読取装置。
【請求項２】
請求項１に記載の画像読取装置であって，
前記リブ押圧部および前記挿通部は，
前記基部の向かい合う辺に一対ずつ設けられていることを特徴とする画像読取装置。
【請求項３】
原稿載置面に載置された原稿から画像を読み取る画像読取部と，
原稿を前記原稿載置面に押圧する原稿カバーと，
前記画像読取部により読み取られた画像を形成する画像形成部とを有する画像形成装置であって，
前記原稿カバーは，
天板と，
閉カバー時に原稿を前記原稿載置面に押圧する原稿マットと，
可撓性フィルム部材からなるとともに閉カバー時に前記原稿マットを原稿に押圧する複数の原稿マット押圧部材とを有し，
前記天板の前記原稿載置面の側には，
前記原稿マット押圧部材を押圧する押圧用リブと，貫通孔が設けられているとともに前記原稿マット押圧部材を支持する支持用リブとが設けられており，
前記原稿マット押圧部材は，
前記原稿マットに固定されている基部と，
前記押圧用リブに押圧されるリブ押圧部と，
前記貫通孔に挿通されているとともにその先端が前記貫通孔の幅より幅広の幅広部となっている挿通部とを有し，
前記リブ押圧部および前記挿通部はいずれも，
前記基部から前記天板側の向きに折り曲げられた状態で設けられているものであることを特徴とする画像形成装置。
【請求項４】
請求項３に記載の画像形成装置であって，
前記リブ押圧部および前記挿通部は，
前記基部の向かい合う辺に一対ずつ設けられていることを特徴とする画像形成装置。
【発明の詳細な説明】
【技術分野】
【０００１】
本発明は，画像読取装置および画像形成装置に関する。さらに詳細には，画像読み取り時における原稿載置面からの原稿の浮き上がりの抑制を図った画像読取装置および画像形成装置に関するものである。
【背景技術】
【０００２】
スキャナ等の画像読取装置やコピー機等の画像形成装置には，画像読取部が一般に設けられている。画像読取部は，原稿載置面に載置されている原稿から画像を読み取るためのものである。その画像読み取り時に，原稿の一部が原稿載置面から浮き上がっていると，その浮き上がっている箇所の画像を好適に読み取ることは困難である。例えば，原稿の浮き上がっている箇所における画像が歪んだり，その箇所が読み取られなかったりする。そのため，原稿を原稿載置面に好適に押圧するための原稿カバーが画像読取装置や画像形成装置に設けられている。原稿カバーが原稿を原稿載置面に押圧することで，原稿の浮き上がりを防止している。しかし，原稿カバー自体が歪んでいると，原稿と原稿載置面との間に隙間が生じることがある。そして，その隙間から光が入射することがある。この場合に読み取った画像の品質は悪い。
【０００３】
そこで，原稿を原稿載置面に好適に押さえ付けることのできる原稿カバーが開発されてきている。例えば，特許文献１には，押圧シートと，平面部材と，弾性連結部材とを有する原稿カバーが開示されている（特許文献１の段落［００１１］，請求項１，図１等参照）。特許文献１によれば，歪みにくい材質の平面部材が押圧シートの平面性を矯正することとしている。これにより，原稿を好適に読み取ることができるとしている（特許文献１の段落［００１６］参照）。
【先行技術文献】
【特許文献】
【０００４】
【特許文献１】特開平１０−２８５３５３号公報
【発明の概要】
【発明が解決しようとする課題】
【０００５】
ところで，近年，画像読取装置や画像形成装置の小型化が図られるようになるとともに，ＣＣＤ方式の画像読取部に代えて，コンタクトイメージセンサ（ＣＩＳ）を用いた画像読取部が用いられるようになってきている。しかし，コンタクトイメージセンサを用いた画像読取部の被写界深度は，ＣＣＤ方式の画像読取部の被写界深度よりも浅い。そのため，コンタクトイメージセンサを用いた画像読取部をＣＣＤ方式の画像読取部と比較すると，原稿の浮き上がりによる画像の劣化の度合いが大きい。したがって，コンタクトイメージセンサを採用する画像読取装置や画像形成装置では，原稿載置面からの原稿の浮き上がりを防止するための，より効果的な対策を講じる必要がある。
【０００６】
ところで，特許文献１の平面部材は，全く歪まないわけではない。特許文献１のプラテンカバー（特許文献１の図１の５１）が恒常的に歪んでいると，その歪みに起因する応力が平面部材に加わり続ける。そのため，平面部材も恒常的に歪むおそれがある。そうすると，押圧シートは，原稿を画像読取部の原稿載置面に好適に押圧することができない。つまり，原稿の浮き上がりを生じるおそれがある。これでは，読み取った画像の品質はよくない。
【０００７】
本発明は，前述した従来の技術が有する問題点を解決するためになされたものである。すなわちその課題とするところは，画像読み取り時における原稿載置面からの原稿の浮き上がりの抑制を図った画像読取装置および画像形成装置を提供することである。
【課題を解決するための手段】
【０００８】
この課題の解決を目的としてなされた本発明の一態様における画像読取装置は，原稿載置面に載置された原稿から画像を読み取る画像読取部と，原稿を原稿載置面に押圧する原稿カバーとを有するものである。また，原稿カバーは，天板と，閉カバー時に原稿を原稿載置面に押圧する原稿マットと，可撓性フィルム部材からなるとともに閉カバー時に原稿マットを原稿に押圧する複数の原稿マット押圧部材とを有し，天板の原稿載置面の側には，原稿マット押圧部材を押圧する押圧用リブと，貫通孔が設けられているとともに原稿マット押圧部材を支持する支持用リブとが設けられている。そして，原稿マット押圧部材は，原稿マットに固定されている基部と，押圧用リブに押圧されるリブ押圧部と，貫通孔に挿通されているとともにその先端が貫通孔の幅より幅広の幅広部となっている挿通部とを有し，リブ押圧部および挿通部はいずれも，基部から天板側の向きに折り曲げられた状態で設けられているものである。かかる画像読取装置は，原稿カバーの天板に歪みが生じていても，その歪みの影響を打ち消して，原稿カバーが原稿を原稿載置面に好適に押圧することのできるものである。したがって，原稿から画像を確実に読み取ることができる。
【０００９】
上記に記載の画像読取装置であって，リブ押圧部および挿通部は，基部の向かい合う辺に一対ずつ設けられているとよい。リブ押圧部が変形することで，天板の歪みを確実に吸収することができるからである。
【００１０】
また，本発明の別の態様における画像形成装置は，原稿載置面に載置された原稿から画像を読み取る画像読取部と，原稿を原稿載置面に押圧する原稿カバーと，画像読取部により読み取られた画像を形成する画像形成部とを有するものである。また，原稿カバーは，天板と，閉カバー時に原稿を原稿載置面に押圧する原稿マットと，可撓性フィルム部材からなるとともに閉カバー時に原稿マットを原稿に押圧する複数の原稿マット押圧部材とを有し，天板の原稿載置面の側には，原稿マット押圧部材を押圧する押圧用リブと，貫通孔が設けられているとともに原稿マット押圧部材を支持する支持用リブとが設けられている。そして，原稿マット押圧部材は，原稿マットに固定されている基部と，押圧用リブに押圧されるリブ押圧部と，貫通孔に挿通されているとともにその先端が貫通孔の幅より幅広の幅広部となっている挿通部とを有し，リブ押圧部および挿通部はいずれも，基部から天板側の向きに折り曲げられた状態で設けられているものである。かかる画像形成装置は，原稿カバーの天板に歪みが生じていても，その歪みの影響を打ち消して，原稿カバーが原稿を原稿載置面に好適に押圧することのできるものである。したがって，原稿から画像を確実に読み取ることができる。
【００１１】
上記に記載の画像形成装置であって，リブ押圧部および挿通部は，基部の向かい合う辺に一対ずつ設けられているとよい。リブ押圧部が変形することで，天板の歪みを確実に吸収することができるからである。
【発明の効果】
【００１２】
本発明によれば，画像読み取り時における原稿載置面からの原稿の浮き上がりの抑制を図った画像読取装置および画像形成装置が提供されている。
【図面の簡単な説明】
【００１３】
【図１】実施形態に係る画像形成装置の概略構成を示す概略構成図である。
【図２】実施形態に係る画像読取部における原稿カバーの構成を示す底面図である。
【図３】実施形態に係る画像読取部における原稿カバーの原稿マット押圧部材を示す展開図である。
【図４】実施形態に係る画像読取部における原稿カバーの原稿マット押圧部材を示す斜視図である。
【図５】実施形態に係る原稿マット押圧部材のリブ押圧部の角度を示す模式図である。
【図６】図２のＡＡ断面を示す断面図である。
【図７】図２のＢＢ断面を示す断面図である。
【図８】実施形態に係る原稿カバーが凸形状に歪んでいる場合のＡＡ断面を示す断面図である。
【図９】実施形態に係る原稿カバーが凸形状に歪んでいる場合のＢＢ断面を示す断面図である。
【図１０】実施形態に係る原稿カバーが凹形状に歪んでいる場合のＡＡ断面を示す断面図である。
【図１１】実施形態に係る原稿カバーが凹形状に歪んでいる場合のＢＢ断面を示す断面図である。
【図１２】参考例における原稿カバーの概略構成を示す底面図である。
【図１３】図１２のＣＣ断面を示す断面図である。
【図１４】参考例における原稿カバーが凸形状に歪んでいる場合のＣＣ断面を示す断面図である。
【図１５】参考例における原稿カバーが凹形状に歪んでいる場合のＣＣ断面を示す断面図である。
【発明を実施するための形態】
【００１４】
以下，本発明を具体化した実施の形態について，添付図面を参照しつつ詳細に説明する。本形態は，カラーコピー機について，本発明を具体化したものである。
【００１５】
１．画像形成装置
１−１．画像形成装置の概略構成
本形態の画像形成装置１００は，図１にその概略構成を示すように，画像読取装置２００を有するものである。画像読取装置２００は，画像読取部２１０と，原稿カバー２２０とを有している。画像読取部２１０は，原稿載置面２１１に載置された原稿から画像を読み取るためのものである。原稿の表面に光を走査するとともに，その反射光を光電変換器により変換することで電気信号化するものである。原稿カバー２２０は，原稿を原稿載置面２１１に押さえつけるためのものである。すなわち，原稿が原稿載置面２１１から浮き上がることを防止するためのものである。
【００１６】
画像形成装置１００は，中間転写ベルト１０１を有する，いわゆるタンデム方式のカラーコピー機である。中間転写ベルト１０１は，無端状ベルト部材であり，その図中両端部がローラ１０２，１０３によって支持され，図１中の矢印Ｘの向きに回転するようになっている。中間転写ベルト１０１の図中下部に沿って，イエロー（Ｙ），マゼンタ（Ｍ），シアン（Ｃ），ブラック（Ｋ）の各色の画像形成部１Ｙ，１Ｍ，１Ｃ，１Ｋが配置されている。
【００１７】
各色の画像形成部１Ｙ，１Ｍ，１Ｃ，１Ｋはいずれも同様の構成である。それぞれ，感光体ユニット２０と，露光装置３０と，現像ユニット１０とを有している。感光体ユニット２０は，静電潜像を担持する感光体ドラム２１を有している。露光装置３０は，感光体ドラム２１に静電潜像を描きこむためのものである。現像ユニット１０は，感光体ドラム２１の静電潜像にトナーを付与して現像するためのものである。また，中間転写ベルト１０１を挟んで感光体ドラム２１に対向する位置に，１次転写ローラ１１１が配置されている。図１中では画像形成部１Ｙによって代表してこれらの各装置の符号を示している。
【００１８】
図１中で下方に配置されているのは，用紙Ｐを収容する給紙カセット１１２である。給紙カセット１１２の上部には，用紙Ｐを送り出す給紙ローラ１１３が設けられている。用紙Ｐは，給紙カセット１１２から用紙搬送経路１１４に沿って上方へ送られる。用紙搬送経路１１４を挟んで，ローラ１０３と対面する位置に，２次転写ローラ１１５が配置されている。さらにその下流側（図１中上方）には，定着装置１３０が配置されている。定着装置１３０は，加圧ローラ１３１，定着ローラ１３２のローラ対を有している。
【００１９】
定着装置１３０より用紙搬送経路１１４のさらに下流側には，排紙ローラ１１６および排紙トレイ１１７が配置されている。排紙ローラ１１６のさらに上方には，折り返し用ローラ１１９および折り返し用トレイ１２０が配置されている。そして，折り返し用ローラ１１９は，用紙搬送経路１１４の他に用紙搬送経路１１８ともつながっている。用紙搬送経路１１８は，両面印刷を行う場合に用いられる搬送経路である。
【００２０】
１−２．画像形成装置の基本的動作
次に，本形態の画像形成装置１００の基本的な動作を簡単に説明する。この画像形成装置１００では，コピーを行うジョブを受け付けると，画像読取部２１０が原稿の画像情報を読み取る。その際には，原稿に光を入射し，その反射波を画像情報として読み取る。
【００２１】
画像形成の指示を受けると，その読み取った画像信号から各色の画像データを生成する。生成された各色の画像データは，対応する画像形成部１Ｙ，１Ｍ，１Ｃ，１Ｋにそれぞれ送出される。各色の画像形成部１Ｙ，１Ｍ，１Ｃ，１Ｋは，画像データに基づいて，静電潜像を形成する。さらに，形成された静電潜像を現像してトナー像を形成する。
【００２２】
形成されたトナー像は，順次，１次転写ローラ１１１によって中間転写ベルト１０１に転写され，重ね合わせられる。中間転写ベルト１０１に重ね合わせられたトナー像は，２次転写ローラ１１５によって用紙Ｐに転写される。トナー像を担持した用紙Ｐは，さらに搬送されて定着装置１３０に至り，定着装置１３０によって加熱されるとともに加圧される。これによりトナー像が用紙Ｐに定着される。トナー像が定着された用紙Ｐは，排紙ローラ１１６によって排紙トレイ１１７に排出される。以上が，画像形成装置１００の基本的な動作である。
【００２３】
２．原稿カバー
２−１．原稿カバーの概略構成
画像読取装置２００は，図１に示したように，画像読取部２１０と，原稿カバー２２０とを有している。図２は，原稿カバー２２０を底面からみた底面図である。ここで原稿カバー２２０における底面とは，原稿載置面２１１側の面である。すなわち，画像読み取り時に原稿を原稿載置面２１１に押圧する側の面である。
【００２４】
原稿カバー２２０は，図２に示すように，天板２２１と，原稿マット２３０と，リブ２４０，２５０，２６０と，原稿マット押圧部材３００（３００ａ〜３００ｉ）とを有している。天板２２１は，原稿カバー２２０の本体である。原稿マット２３０は，実際に原稿を押圧するための部材である。リブ２４０，２５０，２６０は，天板２２１の底面側に設けられている。天板２２１の強度を高いものとするためのものである。これらのリブのうち，リブ２４０，２５０は，補強以外の別の目的をも有している。リブ２４０は，後述する原稿マット押圧部材３００のリブ押圧部３２０を押圧する押圧用リブである。リブ２５０は，後述する原稿マット押圧部材３００のレバー部３１０を支持する支持用リブである。リブ２６０は，リブ２４０およびリブ２５０と交差する向きに設けられている。
【００２５】
２−２．原稿マット押圧部材
原稿マット押圧部材３００は，適宜変形して，原稿マット２３０を原稿に押圧するためのものである。そのため，原稿マット押圧部材３００は，可撓性のフィルム状部材からなっている。例えば，ＰＥＴ等の樹脂である。また，原稿マット押圧部材３００は，天板２２１と原稿マット２３０とを連結するためのものでもある。つまり，原稿マット押圧部材３００は，原稿マット２３０に貼り付けられているとともに，天板２２１の貫通孔に挿通されている。詳しくは後述する。
【００２６】
図３は，原稿マット押圧部材３００の構成を示す展開図である。原稿マット押圧部材３００は，基部３０１と，レバー部３１０と，リブ押圧部３２０とを有している。レバー部３１０は，基部３０１の向かい合う２辺３１５に一対ずつ設けられている。リブ押圧部３２０は，レバー部３１０の設けられていない基部３０１の向かい合う２辺３２５に一対ずつ設けられている。
【００２７】
図４に，力が加わっていない状態（初期状態）における原稿マット押圧部材３００の斜視図を示す。原稿マット押圧部材３００におけるリブ押圧部３２０とレバー部３１０とは，基部３０１に対して同じ面側の向きに所定の角度だけ折れ曲がっている。原稿マット押圧部材３００を天板２２１に取り付けた時には，天板側２２１の向きに折り曲げられた状態で配置される。初期状態では，レバー部３１０の端部３１３は，リブ押圧部３２０の端部３２１よりも高い。ここで，基部３０１に対するリブ押圧部３２０の角度を折り曲げ角度θとする。そして，初期状態における折り曲げ角度θを初期角度θ１とする。初期角度θ１を図５に示す。画像形成装置１００において原稿カバー２２０を開いている開カバー状態での原稿マット押圧部材３００は，この初期状態に近い。
【００２８】
原稿マット押圧部材３００は，初期状態を保持しようとする。つまり，リブ押圧部３２０を図５の矢印Ｄ１の向きに開く場合には，リブ押圧部３２０を図５の矢印Ｄ２の向きに反発力が働く。逆に，リブ押圧部３２０を図５の矢印Ｄ２の向きに閉じる場合には，リブ押圧部３２０を図５の矢印Ｄ１の向きに反発力が働く。原稿マット押圧部材３００を原稿カバー２２０に取り付けた後には，原稿カバー２２０を閉じる閉カバー動作により原稿マット押圧部材３００は，初期状態から開く向きに変形することとなる。
【００２９】
ここで，リブ押圧部３２０が開く場合とは，折り曲げ角度θ（図５参照）が大きくなることをいう。逆に，リブ押圧部３２０が閉じる場合とは，折り曲げ角度θ（図５参照）が小さくなることをいう。
【００３０】
基部３０１は，原稿マット２３０を押圧するためのものである。そのため基部３０１は実際に，原稿マット２３０に貼り付けられている。もちろん，基部３０１と原稿マット２３０とが固定されていれば，貼り付け以外の固定方法を用いてよい。そして，基部３０１は，平面状である。レバー部３１０は，リブ２５０の貫通孔に挿通される挿通部である。レバー部３１０の先端には，幅広部３１１が設けられている。幅広部３１１の根本には，首部３１２がある。幅広部３１１の幅は，首部３１２の幅よりも広い。
【００３１】
リブ押圧部３２０は，閉カバー時に天板２２１のリブ２４０からの押圧を受けるためのものである。この押圧を受けると，リブ押圧部３２０は，初期状態から開く向きに変形する。すなわち，リブ押圧部３２０と基部３０１とのなす角θが初期角度θ１よりも大きくなるのである。そして，原稿マット押圧部材３００は，このように変形するとともに，閉じようとする反発力により原稿マット２３０を原稿側に押圧することとなる。
【００３２】
２−３．原稿マット押圧部材の配置
原稿マット押圧部材３００は，原稿カバー２２０の複数個所に配置されている。図２では，原稿カバー２２０の９箇所に原稿マット押圧部材３００（３００ａ〜３００ｉ）が設けられている。
【００３３】
原稿マット押圧部材３００の基部３０１は，原稿マット２３０の裏側の面，すなわち原稿マット２３０における原稿載置面２１１と対面しない側の面に貼り付けられている。原稿マット押圧部材３００のレバー部３１０の幅広部３１１は，貫通孔２５１にひっかかって抜けないようになっている。このように，リブ２５０は，レバー部３１０を支持している。そして，レバー部３１０は，貫通孔２５１から抜けない範囲で貫通孔２５１に対して自由に摺動することができるようになっている。したがって，原稿マット２３０は，原稿カバー２２０から離れないようになっている。なお，原稿マット押圧部材３００自体は，可撓性の部材からできているため，組立時にレバー部３１０をリブ２５０の貫通孔に挿通することは容易である。
【００３４】
そして，各原稿マット押圧部材３００のリブ押圧部３２０は，図２に示すように，押圧するリブ２４０と交差している。したがって，基部３０１に対するリブ押圧部３２０の角度が変わっても，リブ押圧部３２０は，リブ２４０を押圧することができる。
【００３５】
図６は，閉カバー時における図２のＡＡ断面を示す断面図である。ここで閉カバー時とは，原稿カバー２２０を閉じている状態のことをいう。ただし，原稿および画像読取部２１０との位置関係を示すために，図６にはこれらも描かれている。したがって，画像読取部２１０のガラス板２１２の原稿載置面２１１に，原稿Ｑが配置されている。図６では，図中の左側から原稿マット押圧部材３００ｈ，３００ｅ，３００ｂがこの順で配置されている。図６に示すように，原稿カバー２２０のリブ２５０には，貫通孔２５１が設けられている。貫通孔２５１の形状は長方形である。その長辺は，原稿マット２３０に平行な向きに配置されている。もしくは長孔であってもよい。貫通孔２５１にはそれぞれ，原稿マット押圧部材３００のレバー部３１０が挿通されている。
【００３６】
ここで，図６に示すように，幅広部３１１の幅は，貫通孔２５１の幅よりも広い。したがって，レバー部３１０は，貫通孔２５１から抜け落ちることはない。もちろん，首部３１２（図４等参照）の幅は，貫通孔２５１の幅よりも狭い。一方，レバー部３１０は，貫通孔２５１に固定されているわけではない。幅広部３１１が貫通孔２５１の内壁にひっかからない範囲で，レバー部３１０は動くことができる。このように，原稿マット押圧部材３００は，リブ２５０の貫通孔２５１に挿通されている。
【００３７】
原稿マット押圧部材３００の基部３０１は，原稿マット２３０に貼り付けられている。したがって画像の読み取り時には，天板２２１は，リブ２６０を介して原稿マット押圧部材３００を原稿Ｑの方向に押す。原稿Ｑは，ガラス板２１２の原稿載置面２１１に押圧されている状態である。このとき，各原稿マット押圧部材３００は，均等に原稿Ｑを押さえつけている。したがって，原稿載置面２１１から原稿Ｑが浮き上がった箇所，すなわち原稿における浮き上がり箇所ができることはほとんどない。
【００３８】
図７は，図２のＢＢ断面を示す断面図である。図６の場合と同様に，図７にもこれらが描かれている。図７では，画像読取部２１０のガラス板２１２の原稿載置面２１１の上に原稿Ｑが配置されている。また，前述のとおり，天板２２１のリブ２５０の貫通孔２５１に，原稿押圧部３００のレバー部３１０が挿通されている。
【００３９】
３．原稿カバーが歪んでいない場合
３−１．原稿マット押圧部材に働く力
原稿Ｑの上に原稿カバー２２０を被せた状態では，リブ２４０，２５０，２６０の形成されている天板２２１の重量は，９個の原稿マット押圧部材３００に加わることとなる。天板２２１等の重量は，主に各原稿マット押圧部材３００のリブ押圧部３２０に図６中の下向きにかかる。この力を受ける箇所は，リブ押圧部３２０の端部３２１である。そのため，リブ押圧部３２０は初期状態よりも開く。原稿マット押圧部材３００は，初期状態の形状から変形すると，元の形状に復元しようとする。
【００４０】
このように，天板２２１に歪みがない場合であっても，閉カバー状態では，原稿マット押圧部材３００は，天板２２１等の荷重を受ける。したがって，原稿マット押圧部材３００は，初期状態に比べてやや開いた状態に変形している。このやや開いた状態において，天板２２１等からの荷重と原稿マット押圧部材３００の変形による反発力とが釣り合っている。
【００４１】
したがって，以下，天板２２１に歪みがない場合における閉カバー時を，「歪みなし閉カバー時」ということとする。そして，歪みなし閉カバー時において，原稿マット押圧部材３００が天板２２１等の荷重を受けてやや変形している状態を「歪みなし変形状態」ということとする。図５に示すように，この歪みなし変形状態におけるリブ押圧部３２０と基部３０１とがなす角の角度（通常角度θ２）は，初期角度θ１よりも大きい。
【００４２】
３−２．画像の読み取り
このように，各原稿マット押圧部材３００は，天板２２１等の重量を９箇所に分散して原稿Ｑを原稿載置面２１１に押圧している。そのため，原稿カバー２２０は，原稿Ｑを原稿載置面２１１に好適に押圧することができる。つまり，原稿Ｑの原稿載置面２１１からの浮き上がりはほとんどない。したがって，画像読取部２１０は，原稿Ｑの画像を高い精度で読み取ることができる。
【００４３】
４．原稿カバーが凸形状に歪んでいる場合
本形態の原稿カバー２２０が凸形状に歪んでいる場合について説明する。ここで，凸形状に歪んでいる場合とは，天板２２１の表側（リブ２５０，２６０が設けられていない側）の面が凸形状となるように天板２２１が歪んでいる場合のことをいう。図８は，原稿カバー２２０が凸形状に歪んでいる場合における図２のＡＡ断面に相当する断面を示す断面図である。なお，画像読取部２１０との位置関係を示すために，画像読取部２１０の一部も，図８に描かれている。
【００４４】
図８中の左側から，原稿マット押圧部材３００ｈ，３００ｅ，３００ｂが，この順で配置されている。原稿カバー２２０の天板２２１が歪んでいるため，天板２２１に設けられているリブ２５０，２６０もそれにならって歪んでいる。図８の中央付近では，リブ２５０と原稿載置面２１１との間の隙間は歪みなし閉カバー時に比べて広い。逆に両端付近では，リブ２５０と原稿載置面２１１との間の隙間は歪みなし閉カバー時に比べて狭い。また，歪みを分かりやすくするために，図８には，一点鎖線が仮想的に描かれている。この一点鎖線は，図８に表れているリブ２５０の両端における下端を結んだ線である。これ以降の図においても同様である。
【００４５】
図８に示すように，天板２２１の左端側の端部３２１ｈＬと原稿載置面２１１との隙間は，原稿マット押圧部材３００ｈの右側の端部３２１ｈＲと原稿載置面２１１との隙間よりも狭い。この隙間の狭い箇所に位置しているリブ押圧部３２０ｈＬは，歪みなし変形状態に比べて大きく変形している。すなわち，リブ押圧部３２０ｈＬと基部３０１とがなす角の折り曲げ角度θ３は，通常角度θ２よりも大きい。一方，その原稿マット押圧部材３００ｈの右側のリブ押圧部３２０ｈＲにおける変形の度合いは，リブ押圧部３２０ｈＬの変形の度合いに比べて小さい。このように原稿マット押圧部材３００では，両端に近づくほど変形の度合いが大きい。天板２２１の右端側のリブ押圧部３２０ｂＲについても同様である。
【００４６】
図８において，隙間の広い箇所に位置しているリブ押圧部３２０ｅＬの変形の度合いは，歪みなし閉カバー時よりも小さい。もちろん，原稿マット押圧部材３００ｅは，初期状態から変形している。すなわち，リブ押圧部３２０ｅＬと基部３０１とがなす角の折り曲げ角度θ４は，初期角度θ１より大きく，通常角度θ２より小さい。このように，リブ２５０と原稿載置面２１１との隙間に応じて原稿マット押圧部材３００が変形する。したがって，原稿載置面２１１から原稿Ｑが浮き上がった箇所，すなわち原稿における浮き上がり箇所ができることはほとんどない。
【００４７】
図９は，原稿カバー２２０が凸形状に歪んでいる場合における図２のＢＢ断面に相当する断面を示す断面図である。図９中の左側から，原稿マット押圧部材３００ｄ，３００ｅ，３００ｆが，この順で配置されている。原稿カバー２２０の天板２２１が歪んでいるため，天板２２１に設けられているリブ２４０，２５０，２６０もそれにならって歪んでいる。図９の中央付近では，リブ２６０と原稿載置面２１１との間の隙間は歪みなし閉カバー時に比べて広い。逆に両端付近では，リブ２６０と原稿載置面２１１との間の隙間は歪みなし閉カバー時に比べて狭い。
【００４８】
このように，天板２２１の両端付近と原稿載置面２１１との隙間は，天板２２１の中央付近と原稿載置面２１１との隙間よりも狭い。そのため，天板２２１の左端側の端部３２１ｄと原稿載置面２１１との隙間は，中央の端部３２１ｅと原稿載置面２１１との隙間よりも狭い。この場合であっても，原稿マット押圧部材３００がこれらの隙間に応じて変形する。したがって，原稿載置面２１１から原稿Ｑが浮き上がった箇所，すなわち原稿における浮き上がり箇所ができることはほとんどない。
【００４９】
５．原稿カバーが凹形状に歪んでいる場合
本形態の原稿カバー２２０が歪んで凹形状に歪んでいる場合について説明する。ここで，凹形状に歪んでいる場合とは，天板２２１の表側（リブ２５０，２６０が設けられていない側）の面が凹形状となるように天板２２１が歪んでいる場合のことをいう。図１０は，原稿カバー２２０が凹形状に歪んでいる場合における図２のＡＡ断面に相当する断面を示す断面図である。
【００５０】
図１０中の左側から，原稿マット押圧部材３００ｈ，３００ｅ，３００ｂが，この順で配置されている。原稿カバー２２０の天板２２１が歪んでいるため，天板２２１に設けられているリブ２５０，２６０もそれにならって歪んでいる。図１０の中央付近では，リブ２５０と原稿載置面２１１との間の隙間は歪みなし閉カバー時に比べて狭い。逆に両端付近では，リブ２５０と原稿載置面２１１との間の隙間は歪みなし閉カバー時に比べて広い。
【００５１】
すなわち，天板２２１が凸形状に撓んでいる場合に比べて，隙間が広い箇所と隙間が狭い箇所とが入れ替わっているのである。この場合であっても，原稿マット押圧部材３００がこれらの隙間に応じて変形する。したがって，原稿載置面２１１から原稿Ｑが浮き上がった箇所，すなわち原稿における浮き上がり箇所ができることはほとんどない。
【００５２】
また，図１０中の中央に配置されている原稿マット押圧部材３００ｅでは，リブ押圧部３２０ｅＬ，３２０ｅＲは，大きく開いた状態である。この場合においても，各原稿マット押圧部材３００ｈ，３００ｅ，３００ｂは，原稿マット２３０を図１０中の下方に好適に押圧している。
【００５３】
図１１は，原稿カバー２２０が凹形状に歪んでいる場合における図２のＢＢ断面に相当する断面を示す断面図である。なお，画像読取部２１０との位置関係を示すために，画像読取部２１０の一部も，図１１に描かれている。図１１では，原稿カバー２２０の天板２２１の中央部分が図１１中の上方に向けて凹形状をなしている。
【００５４】
図１１中の左側から，原稿マット押圧部材３００ｄ，３００ｅ，３００ｆが，この順で配置されている。原稿カバー２２０の天板２２１が歪んでいるため，天板２２１に設けられているリブ２４０，２５０，２６０もそれにならって歪んでいる。図１１の中央付近では，リブ２６０と原稿載置面２１１との間の隙間は歪みなし閉カバー時に比べて狭い。逆に両端付近では，リブ２６０と原稿載置面２１１との間の隙間は歪みなし閉カバー時に比べて広い。
【００５５】
そのため，天板２２１の左端側の端部３１１ｄＬと原稿載置面２１１との隙間は，原稿マット押圧部材３００ｄの右側の端部３１１ｄＲと原稿載置面２１１との隙間よりも広い。しかし，図１１に示すように，天板２２１の左端側のレバー部３１０ｄＬは，歪みなし閉カバー時に比べてやや閉じている。一方，その原稿マット押圧部材３００ｄの右側のリブ押圧部３１０ｄＲにおける変形の度合いは，レバー部３１０ｄＬの変形の度合いに比べて小さい。この場合であっても，原稿マット押圧部材３００がこれらの隙間に応じて変形する。したがって，原稿載置面２１１から原稿Ｑが浮き上がった箇所，すなわち原稿における浮き上がり箇所ができることはほとんどない。
【００５６】
以上説明したように，原稿カバー２２０のそりやねじれ等の歪みの影響を受けることなく，原稿Ｑを原稿載置面２１１に押圧することができる。分散して配置されている原稿マット押圧部材３００が，原稿Ｑの全面にわたって原稿Ｑを押圧する。このため，原稿Ｑの一部が浮き上がるおそれはほとんどない。
【００５７】
６．参考例
図１２に，参考例における原稿カバー１２２０を示す。図１２に示すように，原稿カバー１２２０は，９個の弾性部材１３００を有している。また，図１３に示すように，弾性部材１３００は，原稿マット１２３０を押圧するためのものである。弾性部材１３００の材質は，ウレタンフォームである。
【００５８】
６−１．参考例における原稿カバーが凸形状に歪んでいる場合
参考例の原稿カバー１２２０が凸形状に歪んでいる場合について説明する。図１４は，原稿カバー１２２０が凸形状に歪んでいる場合における図１２のＣＣ断面に相当する断面を示す断面図である。
【００５９】
図１４に示すように，リブ１２６０と原稿載置面２１１との間の間隔は，中央付近で広く，両端付近で狭くなっている。そして，それに伴って，両端に位置する弾性部材１３００ａ，１３００ｃは，やや斜めに配置されている。左端側に配置されている弾性部材１３００ａでは，箇所１３００ａＬで，ガラス板２１２に原稿Ｑを好適に押し付けている。しかし，箇所１３００ａＲで，原稿Ｑがガラス板２１２の原稿載置面２１１から浮き上がっている。
【００６０】
これは，弾性部材１３００ａが斜めに配置されているからである。そのため，箇所１３００ａＬでは，原稿マット１２３０をガラス板２１２に向かって強く押圧している。一方，箇所１３００ａＲでは，原稿マット１２３０をガラス板２１２に向かってやや弱く押圧している。そのため，箇所１３００ａＲに加わる力は，箇所１３００ａＬに加わる力よりもかなり弱い。これにより，弾性部材１３００ａに加わる応力に勾配が生じる。その結果，箇所１３００ａＲで，原稿マット１２３０の浮き上がりが発生する。そして，原稿Ｑも同様に浮き上がる。したがって，この箇所における画像を好適に読み取ることができない。つまり，画像に歪み等が生じているおそれがある。
【００６１】
６−２．参考例における原稿カバーが凹形状に歪んでいる場合
参考例の原稿カバー１２２０が歪んで凹形状に歪んでいる場合について説明する。図１５は，原稿カバー１２２０が凹形状に歪んでいる場合における図１２のＣＣ断面に相当する断面を示す断面図である。
【００６２】
図１５に示すように，リブ１２６０と原稿載置面２１１との間の間隔は，中央付近で狭く，両端付近で広くなっている。そして，それに伴って，両端に位置する弾性部材１３００ａ，１３００ｃは，やや斜めに配置されている。左端側に配置されている弾性部材１３００ａでは，箇所１３００ａＲで，ガラス板２１２に原稿Ｑを好適に押し付けている。しかし，箇所１３００ａＬで，原稿Ｑがガラス板２１２の原稿載置面２１１から浮き上がっている。これは，前述したように，弾性部材１３００ａの内部で発生する応力の勾配に差があるためである。したがって，この箇所における画像を好適に読み取ることができない。つまり，画像に歪み等が生じているおそれがある。
【００６３】
７．書籍等からの読み取り
本形態では，シート状の原稿Ｑから画像を読み取る場合について説明した。しかし，読み取る原稿は必ずしも平坦であるとは限らない。例えば，書籍から画像を読み取る場合には，書籍を開いた状態における書籍の背表紙は一般に平坦ではない。本形態の原稿カバー２２０を用いた画像読取装置２００もしくは画像形成装置１００では，書籍の背表紙を好適に押圧することができる。各原稿マット押圧部材３００が適宜変形するからである。これにより，書籍の画像読取面を，好適に原稿載置面２１１に押圧することができる。すなわち，画像の読み取り不良を生ずるおそれがほとんどない。
【００６４】
８．まとめ
以上，詳細に説明したように，本実施の形態に係る画像読取装置２００は，原稿カバー２２０に，複数の原稿マット押圧部材３００が設けられているものである。原稿マット押圧部材３００は，原稿カバー２２０の天板２２１の歪みに応じて，その歪みを吸収するように変形するものである。これにより，原稿カバー２２０の天板２２１にそりやねじれが生じても，原稿を高画質で読み取ることができる画像読取装置および画像形成装置が実現されている。
【００６５】
なお，本実施の形態は単なる例示にすぎず，本発明を何ら限定するものではない。したがって本発明は当然に，その要旨を逸脱しない範囲内で種々の改良，変形が可能である。例えば，画像形成装置は，片面印刷のものであっても，両面印刷のものであってもよい。また，カラー印刷のものに限らない。そして，画像形成装置は，プリンタやスキャナであってもよい。また，読み取った画像を印刷ジョブとして公衆回線により送信する画像読取装置および画像形成装置に適用することができる。もちろん，複合機であってもよい。また，トナーの種類によらず適用できる。さらに，画像形成部は電子写真方式のものに限らない。インク方式の画像形成装置であっても同様に本発明を適用することができる。
【００６６】
本形態では，レバー部３１０は，基部３０１の向かい合う２辺にそれぞれ１個ずつ（計２個）設けられていることとした。そしてリブ押圧部３２０は，レバー部３１０の設けられていない２辺にそれぞれ１個ずつ（計２個）設けられていることとした。しかし，これらレバー部３１０およびリブ押圧部３２０は，必ずしも，向かい合う２辺に設けられていなくともよい。例えば，隣り合う２辺であってもよい。また，レバー部３１０もしくはリブ押圧部３２０を３個以上設けることとしてもよい。また，原稿マット押圧部材３００の個数が多ければ，原稿マット押圧部材３００に設けるレバー部３１０とリブ押圧部３２０の個数は，それぞれ１個ずつであってもよい。ただし，リブ押圧部３２０は，２個以上あることが好ましい。そして，基部３０１の形状は四角形状に限らない。その他の多角形であってよい。
【符号の説明】
【００６７】
１Ｙ，１Ｍ，１Ｃ，１Ｋ…画像形成部
１００…画像形成装置
２００…画像読取装置
２１０…画像読取部
２１１…原稿載置面
２１２…ガラス板
２２０…原稿カバー
２２１…天板
２３０…原稿マット
２４０，２５０，２６０…リブ
２５１…貫通孔
３００…原稿マット押圧部材
３０１…基部
３１０…レバー部
３１１…幅広部
３１２…首部
３２０…リブ押圧部
３２１…端部
【図１】
2012194476.tif 000003
【図２】
2012194476.tif 000004
【図３】
2012194476.tif 000005
【図４】
2012194476.tif 000006
【図５】
2012194476.tif 000007
【図６】
2012194476.tif 000008
【図７】
2012194476.tif 000009
【図８】
2012194476.tif 000010
【図９】
2012194476.tif 000011
【図１０】
2012194476.tif 000012
【図１１】
2012194476.tif 000013
【図１２】
2012194476.tif 000014
【図１３】
2012194476.tif 000015
【図１４】
2012194476.tif 000016
【図１５】
2012194476.tif 000017